(57)【要約】      （修正有）【課題】流体、電気エネルギ及び制御信号の少なくとも一つの制御された供給を可能にする供給及び制御ユニットに歯科用供給管を接続する連結装置を提供する。【解決手段】連結スリーブ７を含む供給及び制御ユニットを歯科用器具の供給管と接続するための連結装置４に関するものであり、第１の連結体及び第２の連結体は、連結スリーブ７の縦軸ＬＡに沿って少なくとも部分的に受容され、第１及び第２の連結体は、それぞれいくつかの液体ダクト及び電気プラグ接続を有する。特に都合よく、連結装置４は、スイッチで切り替え可能なバルブ連結の形で構成される。【選択図】図２
2014018672.tif 000002
【特許請求の範囲】
【請求項１】
連結スリーブ（７）を含む供給及び制御ユニット（２）を歯科用器具（５）の供給管（６）と接続するための連結装置であって、第１の連結体（８）及び第２の連結体（９）が前記連結スリーブ（７）の縦軸（ＬＡ）に沿って少なくとも部分的に受容され、前記第１及び第２の連結体（８、９）が、それぞれいくつかの液体ダクト及び電気プラグ接続を有する連結装置において、前記連結装置（４）がスイッチで切り替え可能なバルブ連結の形で構成されることにおいて特徴付けられる、連結装置。
【請求項２】
前記第１の連結体（８）が前記連結スリーブ（７）に導かれるバルブピストン本体を形成し、そのバルブピストン本体は圧縮空気によって作用されることによって軸方向に置き換え可能であることにおいて特徴付けられる、請求項１に記載の連結装置。
【請求項３】
前記第２の連結体が前記連結スリーブにおいて固定的に受容されることにおいて特徴付けられる、請求項１又は請求項２に記載の連結装置。
【請求項４】
第１の液体ダクトが前記第１の連結体において提供され、第２の液体ダクトが前記第２の連結体において提供されて、その液体ダクトが、互いに関して同軸において前記連結体（８、９）の前記縦軸（ＬＡ）に沿ってそれぞれ延びることにおいて特徴付けられる、請求項１から請求項３のいずれか一項に記載の連結装置。
【請求項５】
第１及び第２のバルブピストン部分（１７．１、１７．２）を有するロッド形のバルブピストン（１７）が、前記第１及び第２の液体ダクト（１０、１２）においてそれぞれ部分的に受容されることにおいて特徴付けられる、請求項１から請求項４のいずれか一項に記載の連結装置。
【請求項６】
前記連結装置（４）の接続されていない動作状態で、前記第１の連結体（９）が、前記連結スリーブ（７）の前記第２の連結体（８）から間隔を置かれて配置され、前記第１の連結体（８）が、予負荷により作用されることでこの位置に保たれることにおいて特徴付けられる、請求項１から請求項５のいずれか一項に記載の連結装置。
【請求項７】
前記制御側の前記連結スリーブ（７）の壁において、前記連結スリーブ（７）及び前記第１の連結体（８）によって囲まれた環状バルブ室（１４）に前記圧縮空気又はそれぞれ制御された空気を供給するための孔（１５）が提供され、その孔が、前記制御側の前記連結スリーブ（７）の前面側から前記環状バルブ室（１４）へ前記縦軸（ＬＡ）に沿って延びることにおいて特徴付けられる、請求項５又は請求項６に記載の連結装置。
【請求項８】
前記ロッド形のバルブピストン（１７）が、前記ピストンの前記縦軸に沿って、すなわち入口孔（１８）から進み、前記ピストンの前記縦軸に直角に続いて延びて、前記前面側に二つの対向する入口開口及び出口開口を有する内側孔を有することにおいて特徴付けられる、請求項５から請求項７のいずれか一項に記載の連結装置。
【請求項９】
前記二つの横方向の入口開口を有する前記第１のバルブピストン部分（１７．１）が前記第１の連結体（８）の前記液体ダクト（１０）に少なくとも部分的に受容され、前記前面側の前記出口開口を有する前記第２のバルブピストン部分（１７．２）が同軸に配置された前記第２の連結体（９）の前記液体ダクト（１２）に少なくとも部分的に受容されることにおいて特徴付けられる、請求項８に記載の連結装置。
【請求項１０】
バルブピストン本体として構成された前記第１の連結体（８）の前記ピストン位置によって、前記第１のバルブピストン部分（１７．１）の前記入口開口が開かれる又は流体密封で閉じられることにおいて特徴付けられる、請求項９に記載の連結装置。
【請求項１１】
前記第１の連結体（８）で提供される前記第１の液体ダクト（１０）がそれぞれ第１のダクト部分（１０．１）及び直接その上に隣接している第２のダクト部分（１０．２）を有し、前記第１のダクト部分（１０．１）の内径は、前記第２のダクト部分（１０．２）の内径より大きいように選択されることにおいて特徴付けられる、請求項９又は請求項１０に記載の連結装置。
【請求項１２】
前記接続されていない動作状態において、前記第１のバルブピストン部分（１７．１）の前記入口開口は、それぞれ前記第２のダクト部分（１０．２）の領域に位置していて、それによって閉じられることにおいて特徴付けられる、請求項９から請求項１１のいずれか一項に記載の連結装置。
【請求項１３】
前記接続された動作状態において、前記第１のバルブピストン部分（１７．１）の前記入口開口は、前記第１のダクト部分（１０．１）の領域に位置していて、それによって開かれることにおいて特徴付けられる、請求項９から請求項１２のいずれか一項に記載の連結装置。
【請求項１４】
前記ロッド形のバルブピストン（１７）が、その第２のバルブピストン部分（１７．２）でその場所にしっかりと、又は、前記第２の連結体（９）のそれぞれ前記第２の液体ダクト（１２）の適所にしっかりと受容されることにおいて特徴付けられる、請求項９から請求項１３のいずれか一項に記載の連結装置。
【請求項１５】
前記電気プラグ接続（１１、１３）の生成のため、前記第１及び第２の連結体（８、９）が、また同軸に配置された前記第１及び第２の液体ダクト（１０、１２）に平行して続いている第１及び第２の孔（２２、２３）を有することにおいて特徴付けられる、請求項１から請求項１４のいずれか一項に記載の連結装置。
【請求項１６】
それぞれ接続ピン要素（２４）が前記第１の孔（２２）に配置され、接触ブッシング要素（２５）が同軸の対向する前記第２の孔（２３）に配置されることにおいて特徴付けられる、請求項１５に記載の連結装置。
【請求項１７】
前記第２の連結体（９）が異なる外径を有する第１及び第２の連結体部分（９．１、９．２）を有することにおいて特徴付けられる、請求項１から請求項１６のいずれか一項に記載の連結装置。
【請求項１８】
前記第１の連結体部分（９．１）の外径が前記第２の連結体部分（９．２）のそれより大きく、前記第１の連結体部分（９．１）は前記連結スリーブ（７）に導かれることにおいて特徴付けられる、請求項１７に記載の連結装置。
【請求項１９】
前記管側のアダプタ連結要素（２６）が前記管側の前記第２の連結体（９）に隣接し、そのアダプタ連結要素は好ましくは前記供給管（６）の一部であることにおいて特徴付けられる、請求項１から請求項１８のいずれか一項に記載の連結装置。
【請求項２０】
前記連結スリーブ（７）が、周囲の端部分（７’）及び断面が減少し前記周囲の端部分（７’）の上に隣接するスリーブ部分（７”）を有し、そのスリーブ部分は好ましくは前記外側表面にネジを有し、そこにナット要素（２７）をネジ止めすることができることにおいて特徴付けられる、請求項１から請求項１９のいずれか一項に記載の連結装置。
【請求項２１】
固定ブッシュ（３４）が、前記管側の前記接続領域（４”）の方向の前記縦軸（ＬＡ）に沿って前記ナット要素（２７）に隣接し、その固定ブッシュが同様に前記連結スリーブ（７）の前記外ネジに止めることができることにおいて特徴付けられる、請求項２０に記載の連結装置。
【請求項２２】
前記制御側に配置された接続アダプタ要素（１９）によって特徴付けられ、それを経て、バルブピストンを形成する前記第１の連結体（８）の前記第１の液体ダクト（１０）への少なくとも前記液体の供給が行われる、請求項１から請求項２１のいずれか一項に記載の連結装置。
【請求項２３】
前記接続アダプタ要素（１９）が、前記縦軸（ＬＡ）に垂直に続く貫通ダクト（２８）を有し、前記縦軸（ＬＡ）に平行して続いている供給ダクト（２９）にそれぞれ接続され、前記第１の連結体（８）の前記第１の液体ダクト（１０）の同軸及び同じ位置に配置されることにおいて特徴付けられる、請求項２２に記載の連結装置。
【請求項２４】
前記貫通ダクト及び供給ダクト（２８、２９）の交差ポイントの領域で投与手段（３１）がそれぞれ提供され、それぞれ供給される液体の量を調整することができることにおいて特徴付けられる、請求項２３に記載の連結装置。
【請求項２５】
前記連結装置（４）で水、空気の吹き出し及び空気の吹きつけを導くため、少なくとも三つの第１の液体ダクト（１０）が前記第１の連結体（８）において提供され、少なくとも三つの第２の液体ダクト（１２）が前記第２の連結体（９）において提供されることにおいて特徴付けられる、請求項１から請求項２４のいずれか一項に記載の連結装置。
【発明の詳細な説明】
【技術分野】
【０００１】
本発明は、請求項１の序節による歯科用器具の供給管を供給及び制御ユニットと接続する連結装置に関するものである。
【背景技術】
【０００２】
歯科用器具、特に電気及び／又は空気で動作する歯科用器具の接続のために、供給管を経由して供給及び制御ユニットをそれぞれの歯科用器具と接続する連結装置は公知である。歯科用器具は、通常ハンドピース部分、及び、例えばドリル又はそのような種類のものの形でその中に受容される治療用具から構成されている。歯科用器具はまた、好ましくは超音波技術又は洗浄機器によって実現されるスケールリムーバを意味すると理解される。前記歯科用器具は、動作に必要な流体、電気エネルギ及び／又は電気制御信号が供給及び制御ユニットから供給管により供給される電気又は空気で動作するモータユニット又は超音波ユニットをそれぞれのハンドピース部分において有する。
【発明の概要】
【０００３】
連結装置は、供給及び制御ユニットと関連した制御側の端部、及び、器具側の供給管の端部の両方で提供することができる。
【０００４】
用具の動作に必要な時、歯科用器具を正確に動かすのに必要な圧縮空気を提供することが望ましい。また、好ましくは異なる機能を有している、いくつかの歯科用具がそれを経て動作可能である空気で動作する公知の供給及び制御装置において、電子制御部品が適用可能である場合に補われる複雑な空気制御及び関連した配線が必要である。ここで特に重要なのは、供給及び制御ユニット、及び、接続された歯科用具の正しい動作である。特に、現在使用している歯科用具のみの動作準備がされ、好ましくは対応した取付けによって供給及び制御ユニットに保たれる残りの歯科用具がオフにされるのが望ましい。
【発明が解決しようとする課題】
【０００５】
それゆえに、流体、電気エネルギ及び制御信号の少なくとも一つの制御された供給を可能にする供給及び制御ユニットに歯科用供給管を接続する連結装置を提供することが本発明の目的である。この問題は、その特徴的な機能によって請求項１の序節の特徴から解決される。
【課題を解決するための手段】
【０００６】
本発明の重要な態様は、連結装置がスイッチで切り替え可能なバルブ連結の形で構成されることである。このため、第１の連結体は連結スリーブに導かれるバルブピストン本体を形成し、そのバルブピストン本体は、圧縮空気によって作用されることで軸方向に位置を変えることができる。第２の連結体は、連結スリーブにおいて固定的に受容される。特に都合よく、本発明の連結装置をスイッチで切り替え可能なバルブ連結として実現することで、圧縮空気又はそれぞれの切り替えた空気の供給によって、接続されていない状態から開かれた又はそれぞれ接続された状態への転移を実行することができ、これは、制御技術に関しては大きな労力なしで行うことができる。
【０００７】
好都合な変形的実施態様において、第１の液体ダクトは第１の連結体に提供され、第２の液体ダクトは第２の連結体に提供されて、その液体ダクトは、互いに関して同軸上で連結体の縦軸に沿ってそれぞれ延びる。第１及び第２のバルブピストン部分を有するロッド形のバルブピストン（１７）は、第１及び第２の液体ダクトにそれぞれ部分的に受容される。
【０００８】
さらに都合よく、連結装置の接続されていない動作状態で、第１の連結体は、連結スリーブにおいて第２の連結体から間隔を置いて配置され、第１の連結体は、予負荷により作用されることでこの位置に保たれる。制御側における連結スリーブの壁において、特に、連結スリーブ及び第１の連結体によって囲まれた環状バルブ室に圧縮空気又はそれぞれ制御された空気を供給するための孔が提供され、その孔は制御側の連結スリーブの前面側から環状バルブ室へ縦軸に沿って延びる。
【０００９】
本発明の好都合なさらなる展開によれば、ロッド形のバルブピストンは、ピストンの縦軸に沿って延びる、すなわち、入口孔から進んでピストンの縦軸を横切って続く内側孔を有し、前面側に二つの対向する入口開口及び出口開口を有する。 二つの側面の入口開口を有する第１のバルブピストン部分は第１の連結体の液体ダクトに少なくとも部分的に受容され、前面側に出口開口を有する第２のバルブピストン部分は、同軸に配置される第２の連結体の液体ダクトにそれぞれ少なくとも部分的に受容される。第１のバルブピストン部分の入口開口は、バルブピストン本体として構成される第１の連結体のピストン位置によって開かれる又は流体密封で閉じられる。
【００１０】
都合よく、第１の連結体で提供される第１の液体ダクトは、それぞれ第１のダクト部分、及び、直接その上に隣接している第２のダクト部分を有し、第１のダクト部分の内径は、第２のダクト部分の内径より大きいように選択される。接続されていない動作状態において、第１のバルブピストン部分の入口開口は、第２のダクト部分の領域にそれぞれ位置し、それによって閉じられる。開いた又はそれぞれ接続された動作状態において、第１のバルブピストン部分の入口開口は、第１のダクト部分の領域に位置し、それによって開かれる。ロッド形のバルブピストンはここで、その第２のバルブピストン部分でその場所にしっかりと、又は、第２の連結体のそれぞれ第２の液体ダクトの適所にしっかりと受容される。
【００１１】
本発明の好都合なさらなる展開によれば、電気プラグ接続を作成するため、第１及び第２の連結体は、また同軸に配置されて第１及び第２の液体ダクトに平行して続いている第１及び第２の孔を有し、それぞれ第１の孔には接続ピン要素が配置され、対向する第２の孔には同軸に接触ブッシング要素が配置される。
【００１２】
都合よく、第２の連結体は、異なる外径を有する第１及び第２の連結体部分を有する。特に、第１の連結体部分の外径は第２の連結体部分のそれより大きく、第１の連結体部分は連結スリーブに導かれる。
【００１３】
本発明のさらなる展開において、管側のアダプタ連結要素は管側の第２の連結体に隣接し、そのアダプタ連結要素は好ましくは供給管の一部である。加えて、連結スリーブは、周囲の端部分、及び、それへ隣接して断面が小さくなったスリーブ部分を含み、そのスリーブ部分は、好ましくは外側表面にナット要素をネジ止めすることができるネジを有する。管側の接続領域の方向において縦軸に沿ってナット要素に隣接するのは、同様に連結スリーブの外ネジにネジ止めすることができる固定ブッシュである。
【００１４】
制御側に配置される接続アダプタ要素もまた提供され、それを経て、バルブピストンを形成する第１の連結体の第１の液体ダクトへの液体の供給が少なくとも行われる。接続アダプタ要素は縦軸に垂直に続いている貫通ダクトを有し、縦軸に平行して続いている供給ダクトとそれぞれ接続され、第１の連結体の第１の液体ダクトと同軸及び位置に配置される。貫通ダクト及び供給ダクトの交差ポイントの領域において、都合よく投与手段がそれぞれ提供され、それぞれ供給される液体の量はそれを経て調整することができる。
【００１５】
好適な変形的実施態様において、連結装置を通じて水を通し、空気を吹き出し、空気を吹きつけるため、少なくとも三つの第１の液体ダクトは第１の連結体で一体化され、少なくとも三つの第２の液体ダクトは第２の連結体で一体化される準備がなされる。
【００１６】
加えて、以下の例示の実施態様の説明及び図から本発明の用途のための、さらなる展開、利点及び可能性も出現する。ここで、視覚的に記載される及び／又は表されるすべての特徴は、請求項又はそれらの参照における組合せとは関係なく、単体で又は所望の組合せにおいて基本的に発明の主題である。また請求項の内容は、説明の構成部分を作成するものである。
【図面の簡単な説明】
【００１７】
図面の説明は以下の通りである：
【図１】図１は、歯科用装置の概略側面図を一例として示すものである；
【図２】図２は、本発明の連結装置の斜視図を一例として示すものである；
【図３】図３は、図２による発明の連結装置の分解図を一例として示すものである；
【図４】図４は、本発明の連結装置の前面側の図を一例として示すものである；
【図５】図５は、図４による発明の連結装置を通した線Ａ−Ａに沿った面を一例として示すものである；
【図６】図６は、本発明の連結装置の前面側の図を一例として示すものである；
【図７】図７は、図６による発明の連結装置を通した線Ｂ−Ｂに沿った面を一例として示すものである。
【発明を実施するための形態】
【００１８】
図１において、一例として少なくとも一つの供給及び制御ユニット２を有する歯科用装置１が示される。供給及び制御ユニット２は、液体、電気エネルギ及び／又は制御信号の少なくとも一つの制御された供給のために構成される。
【００１９】
歯科用装置１は例えば可動トロリー３を含むことができ、その上に供給及び制御ユニット２が配置される。あるいは、歯科用装置１は、例えば治療椅子ユニット（図示せず）で回動可能及び／又は垂直に調節可能であるように配置される歯科治療ユニットの一部であってもよい。
【００２０】
歯科用器具５は、本発明の連結装置４、すなわち供給管６を経てそれぞれ供給及び制御ユニット２に接続することができる。連結装置４から続いて、好ましくは液体、電気エネルギ及び／又は制御信号のいくつかの歯科用器具５への伝達のためのライン接続が供給管６によって作成される。好ましくは、歯科用装置１は、供給管６及び連結装置４を経てそれぞれ供給及び制御ユニット２に接続されるいくつかの歯科用器具５を有する。図１において、本発明の連結装置４の基本的な構造を説明する一例として、供給及び制御ユニット２に接続された一つの歯科用器具５のみが示される。
【００２１】
歯科用器具５は、例えば、その中に交換可能に受容された処理用具を有するハンドピースユニット、超音波技術によって好ましくは実現されるスケールリムーバ、スプレーガン、又は、吸入器具のような歯科治療器具を意味すると理解される。そのような歯科用器具５の動作のため、異なる液体、電気エネルギ及び／又は制御信号が頻繁に必要となる。好ましくは、例えば、流水、空気の吹きつけ、空気の吹き出し、供給電圧及び／又は電気又は空気制御信号は、供給及び制御ユニット２によって提供される。供給管６は、それ自体いくつかの管及び電気接続ケーブルを有し、それを経て、連結装置４によって提供される液体、電気エネルギ及び制御信号が歯科用器具６に伝達される。
【００２２】
図２は一例として本発明の連結装置４の斜視図を示し、図３は関連する分解図を示す。連結装置４は制御側に接続領域４’を、管側に接続領域４”を有し、連結装置４の取付けが完了した後、制御側の接続領域４’は例えば供給及び制御ユニット２のハウジング内部に位置し、管側の接続領域４”は供給及び制御ユニット２のハウジング外部に位置する。
【００２３】
連結装置４は、少なくとも一つの連結スリーブ７を含み、少なくとも部分的に第１の連結体８及び部分的に第２の連結体９は、連結スリーブ７又はそれぞれの連結装置４の縦軸ＬＡに沿って受容され、第１の連結体８はいくつかの第１の液体ダクト１０及び第１の電気プラグ接続１１を有し、第２の連結体９はいくつかの第２の液体ダクト１２及び第２の電気プラグ接続１３を有する。
【００２４】
本発明によると、連結装置４は、スイッチで切り替え可能なバルブ連結を形成し、それによって液体ダクト１０、１２及び電気プラグ接続１１、１３は好ましくは同時に接続することができる。連結装置４はここで、圧縮空気によって作用されることによってスイッチで切り替え可能である、すなわち、液体ダクト１０、１２と電気プラグ接続１１、１３間、並びに、第１及び第２の連結体８、９間に導電接続が存在しない第１の動作状態から、対応した接続につながる第２の動作状態に切り替えることができる。
【００２５】
このため、第１の連結体８は、連結スリーブ７に軸方向に移動可能に、すなわち連結装置４又はそれぞれ連結スリーブ７の縦軸ＬＡに沿って受容される。第１の連結体８は連結スリーブ７によって軸方向に導かれ、制御側の連結装置４の接続領域４’において提供される。第２の連結体９は、管側の接続領域４”の方向で縦軸ＬＡに沿って第１の連結体８に隣接し、取り付けられた状態でその場所でしっかりと、又は、連結スリーブ７の適所にしっかりと受容される。連結装置４が接続されない場合、第１の連結体８は、連結スリーブ７において第２の連結体９から間隔を置かれて配置される。接続された状態において、第１及び第２の連結体９の対向する前面側は、互いに対するように位置する。
【００２６】
本発明によると、第１の連結体８は、軸方向に置き換え可能なバルブピストン本体を形成し、第１のピストン位置から第２のピストン位置への圧縮空気によって作用されることにより動くことができ、その逆も同じである。
【００２７】
このため、第１の連結体８は本質的に円柱状であるように構成され、第１の連結体部分８．１及び第２の連結体部分８．２を有する。本実施態様において、第１の連結体部分８．１は、第２の連結体部分８．２に隣接している端部分において外周の溝８．３を有する。第１及び第２の連結体部分８．１、８．２は異なる外径を有し、それによって段階的な円柱面を形成する、すなわち第２の連結体部分８．２は、縦軸ＬＡから放射状に外側に突き出ている環状端部分を形成し、第１の連結体部分８．１の方向に向きを定められた環状の横方向の停止面８．４を有する。
【００２８】
環状バルブ室１４を形成するため、連結スリーブ７は、縦軸ＬＡに沿って段階的な内側の表面の段を有する。これは、縦軸ＬＡに沿って互いに隣接している第１及び第２の連結スリーブ面７．１、７．２によって形成され、第１の連結スリーブ面７．１は、第２の連結スリーブ面７．２より小さな内径を有する。ここで、第１の連結スリーブ面７．１の内径は第１の連結体部分８．１の外径に適応し、第１の連結スリーブ面７．２の内径は第２の連結体部分８．２の外径に適応する。それゆえに、第１及び第２の連結スリーブ面７．１、７．２間の遷移領域で、環状停止面７．３が作成され、環状停止面７．３に接触して、第１の連結体８の第２の連結体部分８．２又はそれぞれ環状の横方向の停止面８．４は、環状停止面７．３に対して第１のピストン位置で載置される。
【００２９】
環状バルブ室１４はそれゆえに、第１の連結体８の溝８．３を含む、連結スリーブ７の段のある内側表面部分及び段のある外側表面部分により形成される。第１及び第２の連結体部分８．１、８．２は両方とも、周囲の封止要素、好ましくはＯリングを受容するため、それぞれ周囲のガイド溝８．１１、８．２１を有する。それゆえに、第１の連結体８の外側表面と連結スリーブ７の内側表面との間に流体密封接続が作成される。
【００３０】
圧縮空気又はそれぞれ制御された空気の供給は、縦軸ＬＡに沿って連結スリーブ７の壁において、制御側の連結スリーブ７の前面側から環状バルブ室１４に導かれる孔１５を経て行われ、出口側の孔には、二重ニップル１６が圧力管の接続のために提供される。圧力管はそれゆえに、連結装置４の制御空気吸込み口を形成する。
【００３１】
個々の液体の制御された切り替えのため、第１の連結体８の第１の液体ダクト１０の少なくとも一部が、第２の連結体９の第２の液体ダクト１２の一部で、すなわちそれぞれロッド形のバルブピストン１７を経てそれぞれダクト方向に接続される。ロッド形のバルブピストン１７は、ピストンの縦軸に沿って延びる、すなわち入口孔１８から進みピストンの縦軸を横切って続く内側孔を有し、端部側に二つの対向する入口開口及び出口開口を有する。二つの横方向の入口開口を有する第１のバルブピストン面１７．１はここで、第１の連結体８の液体ダクト１０において受容され、前面側に出口開口を有する第２のバルブピストン面１７．２は、同軸に配置される第２の連結体の液体ダクト１２において受容される。
【００３２】
バルブピストン本体として構成される第１の連結体８のピストン位置によって、第１のバルブピストン面１７．１の入口開口は開かれる又は流体密封で閉じられ、それによって、関連する液体ダクト１０、１２を経たそれぞれの液体の供給が制御される。これを実現するため、第１の連結体８で提供される液体ダクト１０は、それぞれ第１のダクト面１０．１及び直接それへ隣接している第２のダクト面１０．２を有し、第１のダクト面１０．１の内径は、第２のダクト面１０．２の内径より大きいように選択されて、ダクト内側表面の傾斜した、ステップ状の段が作成される。第１のピストン位置において、第１のバルブピストン面１７．１の入口開口は第２のダクト面１０．２にそれぞれ位置し、入口開口を囲み、周囲のガイド溝において受容される二つの封止要素、好ましくはＯリングによって、第２のダクト面１０．２のダクト内側表面に関して封止される。
【００３３】
第２のピストン位置において、第１のバルブピストン面１７．１の入口開口は第１のダクト面１０．１の領域に配置されるようになり、より大きな内径のために開かれるので、第１の連結体の第１の液体ダクト１０を経て供給される液体は、内側孔１８へと入口開口を経て、第２のバルブピストン面１７．２の出口開口まで導かれ、最後に第２の連結体９のさらなる第２の液体ダクト１２を経て、管側の接続領域４”に到達する。接続管又は接続アダプタ要素１９の接続のために、制御側の第１の連結体８の第１の液体ダクト１０の開口には接続ニップル要素２０が備えられる。バルブピストン１７は好ましくは、その第２のバルブピストン面１７．２でその場所にしっかりと、又は、第２の連結体９のそれぞれ第２の液体ダクト１２の適所にしっかりと受容される。
【００３４】
好ましくは、第１の液体ダクト１０の制御側で受容されるそれぞれ接続ニップル要素２０と同様にその中に配置されるロッド形のバルブ本体１７の第１のバルブピストン面１７．１との間にバネ要素（図示せず）が提供され、それによって、バネ要素の軸方向に作用する予負荷が、第１及び第２の連結体８、９間の場所でしっかりと、又は、第２の連結体９の適所にしっかりと受容されたバルブピストン１７を経て、構築される。予負荷によって、バルブピストン本体として構成される第１の連結体８は制御された空気によって作用されずに第１のピストン位置において保たれる、すなわち、第１の連結体８の第２の連結体部分８．２は、連結スリーブ７の停止面７．３に対して端側に位置する。制御された空気の供給により、第１の連結体８は、第２のピストン位置への軸方向の予負荷に対して、すなわち、第２の連結体９の第１の連結体８に面する正面に対して、位置を変えられる。
【００３５】
加えて、管側の第２の連結体９の第２の液体ダクト１２の開口において、同様に、接続ニップル要素２１が接続管の接続を可能にするために受容される。本実施態様において、三つの第１の液体ダクト１０は第１の連結体８において提供され、三つの第２の液体ダクト１２は第２の連結体９において提供され、それを経て水、空気の吹き出し、及び、空気の吹きつけが連結装置４へ導かれる。加えて、さらなる液体ダクトは、バルブピストン１７を有しないが互いに接続ニップル要素を経て接続される第１及び第２の連結体８、９においてそれぞれ提供される。この連続的な、スイッチ切り替えできないさらなる液体ダクトは、供給管６を経て歯科用具５から空気を戻すために提供される。
【００３６】
電気プラグ接続１１、１３を作成するため、第１及び第２の連結体８、９は加えて、同様に同軸に配置された第１及び第２の液体ダクト１０、１２に平行して続いている第１及び第２の孔２２、２３を有する。ここで、それぞれ第１の孔２２に接続ピン要素２４が配置され、同軸の対向した第２の孔２２に、接触ブッシング要素２５は、プラグ接続１１、１３の技術的な実現のために提供される。
【００３７】
図７による好適な変形的実施態様において、第１の孔２２は、制御側に第１の孔部分２２．１、及び、その上に隣接した第２の孔部分２２．２を有し、第１の孔２２の直径は、第２の孔部分２２．２で第１の孔部分２２．１よりも小さいように選択される。接続ピン要素２４は、第２の孔部分２２．２において保たれ、第１の孔部分２２．１へ一方の自由端によって突設し、縦軸ＬＡの方向において第１の連結体の外側へ正面から対向する他方の自由端によって突き出て、プラグ接続１１、１３のプラグ面を形成する。
【００３８】
対向する第２の孔２３は縦軸ＬＡに沿って同様に延び、全体で同じ直径を有して、その直径は、好ましくは第１の孔２２の第１の孔部分２２．１の直径と一致し、接触ブッシング要素２５を受容するために構成される。本発明の変形的実施態様において、接触ブッシング要素２５はピンのような端部を有し、それによって、縦軸ＬＡの方向に管側の第２の連結体９の前面側から突き出て、それゆえに、接触ブッシングの接続のための接触プラグを形成する。これに類似した方法で、第１の孔部分２２．１に接続ピン要素２４との導電接続を作るためにそれへ接続される電気導体を有するソケットを制御側で第１の孔部分２２．１に導入することができ、電気導体は、それぞれの接続ピン要素２４に第１の孔２２を経て導かれる。
【００３９】
供給管６又は管及びその中に受容される電気接続ケーブルのそれぞれの連結装置４への接続のため、管側のアダプタ連結要素２６は、管側の連結装置４の第２の連結体９に隣接し、そのアダプタ連結要素は好ましくは供給管６の一部である。これは管側の第２の連結体９の端部へ適合することができる、すなわち好ましくは、少なくとも自由端側で連結スリーブ７によってまだ部分的に受容される。このため、図３、５及び７で示される変形的実施態様における第２の連結体９は例えば、異なる直径を有する第１及び第２の連結体部分９．１、９．２を有する。第１の連結体部分９．１の外径は第２の連結体部分９．２のそれよりも大きく、第１の連結体部分９．１は連結スリーブ７に導かれ、第２の連結体部分９．２は、締め付け型載置が第２の連結体部分９．２の外側表面と連結スリーブ７の自由端の内側表面との間の、アダプタ連結要素２６で行われるように、その外径に関して必要な大きさにされる。
【００４０】
第１及び第２の連結体８、９を互いに接続する連結スリーブ７は制御側の端部で軸方向に外側に突き出ている周囲の端部分７’を有し、供給及び制御ユニット２のハウジングが位置する横方向の環状停止面を形成する。周囲の端部分７’に隣接するのは、好ましくは外側表面にネジを有する断面が小さくなったスリーブ部分７”である。ナット要素２７は、ネジに止めることができる。それによって、ハウジング壁の円形の凹部又は供給及び制御ユニット２のそのような固定用の平面において、連結装置４の締め付け型固定が可能になる。固定はここで、連結スリーブ７でナット要素２７をネジ止めすることにより行われるので、連結スリーブ７の端領域７’とナット要素２７の端領域２７’との間に圧力嵌合が作成される。
【００４１】
固定ブッシュ３４は、管側の接続領域４”の方向に縦軸ＬＡに沿ってナット要素２７に隣接し、その固定ブッシュも、連結スリーブ７の外ネジに止めることができる。固定ブッシュ３４は加えて、アダプタ連結要素２６を受容し、連結スリーブ７でそれをネジ止めすることで、アダプタ連結要素２６は、前面側の連結スリーブ７の自由端上へ押圧されて、第２の連結体９、アダプタ連結要素２６、及び、管側の連結スリーブ７の減少したスリーブ部分７”の間で締め付け型接続が作成される。
【００４２】
本発明の好適な変形的実施態様において、連結装置４は接続アダプタ要素１９を有し、それを経て、バルブピストンを形成している第１の連結体８の第１の液体ダクト１０への少なくとも液体の供給が行われる。図２から７において、一例としてそのような接続アダプタ要素１９の実現の可能な形式が示される。
【００４３】
本発明の変形的実施態様において、接続アダプタ要素１９は、それぞれ接続ニップル３０、３０’の貫通ダクトが少なくとも部分的に受容される対向する開口で縦軸ＬＡに垂直に続く三つの貫通ダクト２８を有する。縦軸ＬＡに垂直に続いている貫通ダクト２８は、縦軸ＬＡに平行に続いている供給ダクト２９とそれぞれ接続され、第１の液体ダクト１０と同軸及び同じ位置の第１の連結体８の接続ニップル要素２０との接続のために配置される。
【００４４】
流水、空気の吹き出し、空気の吹きつけは例えば、供給ダクト２９へ貫通ダクト２８を経て導かれ、ここで、好ましくは貫通ダクト及び供給ダクト２８、２９の交差ポイントの領域において、それぞれ投与手段３１を提供することができ、それを経てそれぞれ供給できる液体の量を調整することができる。
【００４５】
最後に、接続アダプタ要素１９はまた、さらなる供給ダクト（図示せず）を経て、第１の連結体８において提供されるさらなる液体ダクトに接続することができる出口ニップル３２を有する。
【００４６】
接続アダプタ要素１９は、制御側の第１の連結体８の前面側と好ましくはしっかりと、すなわち好ましくは例えばネジ３３のような着脱可能な接続手段によって接続される。
【００４７】
本発明は、例示の実施態様において記載した。本発明の観念から逸脱せずに、本発明への多数の修正及び改変が可能であると理解される。
【符号の説明】
【００４８】
１  歯科用装置
２  供給及び制御ユニット
３  可動トロリー
４  連結装置
４’  制御側の接続領域
４”  管側の接続領域
５  歯科用器具
６  供給管
７  連結スリーブ
７’  端領域
７”  減少したスリーブ領域
７．１  第１の連結スリーブ部分
７．２  第２の連結スリーブ部分
７．３  環状停止面
８  第１の連結体
８．１  第１の連結体部分
８．１１  ガイド溝
８．２  第２の連結体部分
８．２１  ガイド溝
８．３  外側の周囲の溝
８．４  環状停止面
９  第２の連結体
９．１  第１の連結体部分
９．２  第２の連結体部分
１０  第１の液体ダクト
１０．１  第１のダクト部分
１０．２  第２のダクト部分
１１  第１の電気プラグ接続
１２  第２の液体ダクト
１３  第２の電気プラグ接続
１４  環状バルブ室
１５  孔
１６  二重ニップル
１７  ロッド形のバルブピストン
１７．１  第１のバルブピストン部分
１７．２  第２のバルブピストン部分
１８  入口孔
１９  接続アダプタ要素
２０  接続ニップル要素
２１  接続ニップル要素
２２  第１の孔
２３  第２の孔
２４  接続ピン要素
２５  接触ブッシング要素
２６  アダプタ連結要素
２７  ナット要素
２７’  端領域
２８  貫通ダクト
２９  供給ダクト
３０、３０’  接続ニップル
３１  投与手段
３２  出口ニップル
３３  ネジ
３４  固定ブッシュ
ＬＡ  縦軸
【図１】
2014018672.tif 000003
【図２】
2014018672.tif 000004
【図３】
2014018672.tif 000005
【図４】
2014018672.tif 000006
【図５】
2014018672.tif 000007
【図６】
2014018672.tif 000008
【図７】
2014018672.tif 000009